【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
表示パネルと、
互いに異なる色の光を発する複数のカラー光源と白色光を発する白色光源とを有する発光手段と、
前記白色光源の発光期間を制御する制御手段と、
を有し、
１フレーム期間内において、前記複数のカラー光源のうちの少なくとも１つのカー光源の発光期間の長さは、前記複数のカラー光源のうちの他のカラー光源の発光期間の長さと異なり、
前記制御手段は、前記複数のカラー光源のうちの一部のカラー光源のみが発光する期間に、前記白色光源の発光期間を優先的に割り当てる
ことを特徴とする画像表示装置。
【請求項２】
１フレーム期間内において、前記複数のカラー光源の発光期間の長さは互いに異なる
ことを特徴とする請求項１に記載の画像表示装置。
【請求項３】
前記複数のカラー光源は、互いに異なる色の光を発する３つ以上のカラー光源を含み、
前記複数のカラー光源の単位時間あたりの発光量である発光強度は、互いに異なっており、
前記制御手段は、それぞれが、前記複数のカラー光源のうちの一部のカラー光源のみが発光する期間であって、前記複数のカラー光源のいずれかが消灯してから前記複数のカラー光源のうちの他のカラー光源のいずれかが消灯するまでの期間である複数の輝度変化期間のうち、前記発光強度がより高いカラー光源が消灯する時刻を開始時刻とする期間から順番に、前記白色光源の発光期間を割り当てる
ことを特徴とする請求項１または２に記載の画像表示装置。
【請求項４】
前記制御手段は、前記輝度変化期間の開始時刻と、該輝度変化期間に割り当てる前記白色光源の発光期間の開始時刻とが同じとなるように、前記白色光源の発光期間を割り当てる
ことを特徴とする請求項３に記載の画像表示装置。
【請求項５】
前記複数のカラー光源は、互いに異なる色の光を発する３つ以上のカラー光源を含み、
前記複数のカラー光源の単位時間あたりの発光量である発光強度は、互いに異なっており、
前記制御手段は、それぞれが、前記複数のカラー光源のうちの一部のカラー光源のみが発光する期間であって、前記複数のカラー光源のいずれかが点灯してから前記複数のカラー光源のうちの他のカラー光源のいずれかが点灯するまでの期間である複数の輝度変化期間のうち、前記発光強度がより高いカラー光源が点灯する時刻を終了時刻とする期間から順番に、前記白色光源の発光期間を割り当てる
ことを特徴とする請求項１または２に記載の画像表示装置。
【請求項６】
前記制御手段は、前記輝度変化期間の終了時刻と、該輝度変化期間に割り当てる前記白色光源の発光期間の終了時刻とが同じとなるように、前記白色光源の発光期間を割り当てる
ことを特徴とする請求項５に記載の画像表示装置。
【請求項７】
前記複数のカラー光源は、互いに異なる色の光を発する３つ以上のカラー光源を含み、
前記複数のカラー光源の単位時間あたりの発光量である発光強度は、互いに異なっており、
前記制御手段は、前記複数のカラー光源のいずれかが消灯してから前記複数のカラー光源の全部が消灯するまでの期間を前記単位時間毎に分割することにより得られる複数の色変化期間のうち、終了時刻までの各カラー光源の発光量の総和から開始時刻までの各カラー光源の発光量の総和を減算した値を、開始時刻までの各カラー光源の発光量の総和で除算した値がより大きい期間から順番に、前記白色光源の発光期間を割り当てる
ことを特徴とする請求項１または２に記載の画像表示装置。
【請求項８】
前記複数のカラー光源は、互いに異なる色の光を発する３つ以上のカラー光源を含み、
前記複数のカラー光源の単位時間あたりの発光量である発光強度は、互いに異なっており、
前記制御手段は、前記複数のカラー光源のいずれかが点灯してから前記複数のカラー光源の全部が点灯するまでの期間を前記単位時間毎に分割することにより得られる複数の色変化期間のうち、終了時刻までの各カラー光源の発光量の総和から開始時刻までの各カラー光源の発光量の総和を減算した値を、開始時刻までの各カラー光源の発光量の総和で除算した値がより大きい期間から順番に、前記白色光源の発光期間を割り当てる
ことを特徴とする請求項１または２に記載の画像表示装置。
【請求項９】
表示パネルと、互いに異なる色の光を発する複数のカラー光源と白色光を発する白色光源とを有する発光手段と、を有する画像表示装置の制御方法であって、
画像データを入力する入力ステップと、
前記白色光源の発光期間を制御する制御ステップと、
を有し、
１フレーム期間内において、前記複数のカラー光源のうちの少なくとも１つのカー光源の発光期間の長さは、前記複数のカラー光源のうちの他のカラー光源の発光期間の長さと異なり、
前記制御ステップでは、前記複数のカラー光源のうちの一部のカラー光源のみが発光する期間に、前記白色光源の発光期間が優先的に割り当てられる
ことを特徴とする画像表示装置の制御方法。
【請求項１０】
１フレーム期間内において、前記複数のカラー光源の発光期間の長さは互いに異なる
ことを特徴とする請求項９に記載の画像表示装置の制御方法。
【請求項１１】
前記複数のカラー光源は、互いに異なる色の光を発する３つ以上のカラー光源を含み、
前記複数のカラー光源の単位時間あたりの発光量である発光強度は、互いに異なっており、
前記制御ステップでは、それぞれが、前記複数のカラー光源のうちの一部のカラー光源のみが発光する期間であって、前記複数のカラー光源のいずれかが消灯してから前記複数のカラー光源のうちの他のカラー光源のいずれかが消灯するまでの期間である複数の輝度変化期間のうち、前記発光強度がより高いカラー光源が消灯する時刻を開始時刻とする期間から順番に、前記白色光源の発光期間が割り当てられる
ことを特徴とする請求項９または１０に記載の画像表示装置の制御方法。
【請求項１２】
前記制御ステップでは、前記輝度変化期間の開始時刻と、該輝度変化期間に割り当てる前記白色光源の発光期間の開始時刻とが同じとなるように、前記白色光源の発光期間が割り当てられる
ことを特徴とする請求項１１に記載の画像表示装置の制御方法。
【請求項１３】
前記複数のカラー光源は、互いに異なる色の光を発する３つ以上のカラー光源を含み、
前記複数のカラー光源の単位時間あたりの発光量である発光強度は、互いに異なっており、
前記制御ステップでは、それぞれが、前記複数のカラー光源のうちの一部のカラー光源のみが発光する期間であって、前記複数のカラー光源のいずれかが点灯してから前記複数のカラー光源のうちの他のカラー光源のいずれかが点灯するまでの期間である複数の輝度変化期間のうち、前記発光強度がより高いカラー光源が点灯する時刻を終了時刻とする期間から順番に、前記白色光源の発光期間が割り当てられる
ことを特徴とする請求項９または１０に記載の画像表示装置の制御方法。
【請求項１４】
前記制御ステップでは、前記輝度変化期間の終了時刻と、該輝度変化期間に割り当てる前記白色光源の発光期間の終了時刻とが同じとなるように、前記白色光源の発光期間が割り当てられる
ことを特徴とする請求項１３に記載の画像表示装置の制御方法。
【請求項１５】
前記複数のカラー光源は、互いに異なる色の光を発する３つ以上のカラー光源を含み、
前記複数のカラー光源の単位時間あたりの発光量である発光強度は、互いに異なっており、
前記制御ステップでは、前記複数のカラー光源のいずれかが消灯してから前記複数のカラー光源の全部が消灯するまでの期間を前記単位時間毎に分割することにより得られる複数の色変化期間のうち、終了時刻までの各カラー光源の発光量の総和から開始時刻までの各カラー光源の発光量の総和を減算した値を、開始時刻までの各カラー光源の発光量の総和で除算した値がより大きい期間から順番に、前記白色光源の発光期間が割り当てられることを特徴とする請求項９または１０に記載の画像表示装置の制御方法。
【請求項１６】
前記複数のカラー光源は、互いに異なる色の光を発する３つ以上のカラー光源を含み、
前記複数のカラー光源の単位時間あたりの発光量である発光強度は、互いに異なっており、
前記制御ステップでは、前記複数のカラー光源のいずれかが点灯してから前記複数のカラー光源の全部が点灯するまでの期間を前記単位時間毎に分割することにより得られる複数の色変化期間のうち、終了時刻までの各カラー光源の発光量の総和から開始時刻までの各カラー光源の発光量の総和を減算した値を、開始時刻までの各カラー光源の発光量の総和で除算した値がより大きい期間から順番に、前記白色光源の発光期間が割り当てられることを特徴とする請求項９または１０に記載の画像表示装置の制御方法。
【手続補正２】
【補正対象書類名】明細書
【補正対象項目名】発明の名称
【補正方法】変更
【補正の内容】
【発明の名称】画像表示装置及びその制御方法
【手続補正３】
【補正対象書類名】明細書
【補正対象項目名】００１０
【補正方法】変更
【補正の内容】
【００１０】
本発明の画像表示装置は、
表示パネルと、
互いに異なる色の光を発する複数のカラー光源と白色光を発する白色光源とを有する発光手段と、
前記白色光源の発光期間を制御する制御手段と、
を有し、
１フレーム期間内において、前記複数のカラー光源のうちの少なくとも１つのカー光源の発光期間の長さは、前記複数のカラー光源のうちの他のカラー光源の発光期間の長さと異なり、
前記制御手段は、前記複数のカラー光源のうちの一部のカラー光源のみが発光する期間に、前記白色光源の発光期間を優先的に割り当てる
ことを特徴とする。
【手続補正４】
【補正対象書類名】明細書
【補正対象項目名】００１１
【補正方法】変更
【補正の内容】
【００１１】
本発明の画像表示装置の制御方法は、
表示パネルと、互いに異なる色の光を発する複数のカラー光源と白色光を発する白色光源とを有する発光手段と、を有する画像表示装置の制御方法であって、
画像データを入力する入力ステップと、
前記白色光源の発光期間を制御する制御ステップと、
を有し、
１フレーム期間内において、前記複数のカラー光源のうちの少なくとも１つのカー光源の発光期間の長さは、前記複数のカラー光源のうちの他のカラー光源の発光期間の長さと異なり、
前記制御ステップでは、前記複数のカラー光源のうちの一部のカラー光源のみが発光する期間に、前記白色光源の発光期間が優先的に割り当てられる
ことを特徴とする。